(57)【要約】【課題】作業効率の向上を図ることが可能な耐震補強構造体の構築方法を提供する。【解決手段】  地上にて、新設梁２１と新設柱２２との接合部となる部分５２ａと新設梁２１となる部分５２ｂとが一体になったプレキャスト梁５２の下に揚重ブラケット５１を設けと、当該揚重ブラケット５１上に新設スラブ３１を構築するための型枠５３及び鉄筋５４をｓ載置してユニット５０を形成する。ユニット５０を揚重して、プレキャスト梁５２の部分５２ａを新設柱２２の上に設置し、且つ、揚重ブラケット５１の先端部が、既存梁１２に設置された先端支持部材４２で支持されるように、ユニット５０を設置する。【選択図】図３
2015196942.tif 000002
【特許請求の範囲】
【請求項１】
既存建物の外部に構築された新設柱と新設梁とからなる補強フレームを前記既存建物と一体に連結するために、前記既存建物の既存梁と前記新設梁との間において、前記既存梁から前記新設梁側に張り出した既存スラブの下面に、コンクリートによって前記既存スラブと一体に新設スラブを構築した耐震補強構造体の構築方法であって、
前記既存スラブに上下に貫通した貫通孔を形成する工程と、
前記既存梁の前記新設梁に対向する面から突出するアンカーを設置する工程と、
前記既存梁の前記新設梁に対向する面に先端支持部材を設置する工程と、
地上にて、前記新設梁と前記新設柱との接合部となる部分と前記新設梁となる部分とが一体になったプレキャスト梁の下に揚重ブラケットを設け、当該揚重ブラケット上に前記新設スラブを構築するための型枠及び鉄筋を載置してユニットを形成する工程と、
前記ユニットを揚重して、前記接合部となる部分を前記新設柱の上に設置し、且つ、前記揚重ブラケットの前記既存建物側の先端部が前記先端支持部材で支持されるように、前記ユニットを設置する工程と、
前記接合部となる部分の上に前記新設柱となるプレキャスト柱を設置する工程と、
前記貫通孔内に連結部材を設置する工程と、
前記プレキャスト梁と前記プレキャスト柱とを接合する工程と、
前記貫通孔を介して、前記既存スラブの上方からコンクリートを打設する工程とを備えることを特徴とする耐震補強構造体の構築方法。
【請求項２】
前記揚重ブラケット上には、前記既存梁側の１枚分の前記新設スラブを構築するための型枠を載置せず、当該型枠は、前記ユニットを設置した後、所定の場所に設置することを特徴とする請求項１に記載の耐震補強構造体の構築方法。
【請求項３】
隣接する前記プレキャスト梁の前記新設梁となる部分同士を接合する工程をさらに備え、
隣接する前記新設スラブを連結して構築するために前記鉄筋を連結することを特徴とする請求項１又は２に記載の耐震補強構造体の構築方法。
【請求項４】
隣接する前記新設スラブを連結して構築するために、前記ユニットの型枠の端部の間に新たに型枠を設置すると共に、前記新たに設置する型枠の下に該型枠を支持するブラケットを設置することを特徴とする請求項１から３の何れか１項に記載の耐震補強構造体の構築方法。
【請求項５】
隣接する前記プレキャスト梁の前記新設梁となる部分同士を接合する工程をさらに備え、
前記ユニットの型枠の幅方向の端部に、少なくとも前記既存スラブの下端から前記型枠の上端まで鉛直方向に仕切る型枠を設置することを特徴とする請求項１又は２に記載の耐震補強構造体の構築方法。
【請求項６】
前記既存建物の外部の前記ユニットが設置される部分を除いた部分に支柱を設置し、前記支柱と連結させた壁つなぎを前記ユニットが設置される部分を通さずに前記既存建物に固定して、昇降足場を設置する工程を含むことを特徴とする請求項１から５の何れか１項に記載の耐震補強構造体の構築方法。
【発明の詳細な説明】
【技術分野】
【０００１】
本発明は、既存建物の外部に、既存建物と連結スラブで連結された、耐震補強用の構造体である補強フレームを新設する耐震補強構造体の構築方法に関する。
【背景技術】
【０００２】
既存建物の耐震補強方法には、主に、既存建物内部の柱、梁、耐震壁などの構造部材を補強又は新設する方法と、既存建物の外部に耐震補強用の構造体を新設して、この構造体に既存建物の応力を負担させる方法とがある。
【０００３】
既存建物内部の構造部材を補強又は新設する場合は、工事期間内は居住者などを退避させる必要がある、補強後は構造部材の断面積が増えた分内部空間が狭くなる、室内など狭い空間内で工事を行う必要がある、などの問題がある。
【０００４】
外部に耐震補強用の構造体を新設する場合は、耐震補強用の構造体を新設する敷地を必要とするが、上述した内部の構造部材を補強又は新設する場合における問題は生じない。
【０００５】
外部に新設する耐震補強用の構造体は既存建物と構造的に一体化する必要があり、これらを連結する連結部材は十分な剛性及び耐力を有する必要がある。このような連結方法として、既存スラブと新設スラブとを連結する方法が提案されている。
【０００６】
例えば、特許文献１には、外部の耐震補強用の構造体（外フレーム）をフルプレキャスト部材で構築し、外フレームのベランダ支持部と既存ベランダ（既存スラブ）とに亘って連結用鋼管（短管）を設置した状態で、既存ベランダとベランダ支持部とを連結することが開示されている。しかしながら、この連結用鋼管は、既設建物に作用する剪断力を外フレームに伝達するが、ベランダ支持部と既存ベランダとの連結にはあまり寄与しない。
【０００７】
そこで、特許文献２には、外部の耐震補強用の構造体をプレキャスト部材で構築し、既存スラブと新設スラブ（連結用スラブ）との間に上下に鍔を付けた連結用鋼管を設置した状態で、既存スラブの下側に連結した新設スラブを構築することが開示されている。この連結用鋼管は、鋼管本体によって剪断力を伝達すると共に、上下の鍔が存在するため既存スラブと新設スラブとを安定的に連結する。
【０００８】
なお、特許文献３には、既存梁の側面に仮設の足場ブラケットを設置し、ハーフプレキャストのバルコニーと配筋を足場ブラケットの上に設置することが記載されている。
【先行技術文献】
【特許文献】
【０００９】
【特許文献１】特許第３５２２２５５号公報
【特許文献２】特開２０１４−００１５５０号公報
【特許文献３】特公昭６３−３４９２６号公報
【発明の概要】
【発明が解決しようとする課題】
【００１０】
しかしながら、上記特許文献２に記載された構築方法では、プレキャスト柱上にプレキャスト梁を設置した後に、新設スラブを構築するための型枠を設置している。そのため、この場合、作業者は、ベランダから見上げながら、新設スラブを構築するための型枠及び鉄筋を設置する必要があるため、作業効率が良好でない。
【００１１】
本発明は、以上の点に鑑み、作業効率の向上を図ることが可能な耐震補強構造体の構築方法を提供することを目的とする。
【課題を解決するための手段】
【００１２】
本発明は、既存建物の外部に構築された新設柱と新設梁とからなる補強フレームを前記既存建物と一体に連結するために、前記既存建物の既存梁と前記新設梁との間において、前記既存梁から前記新設梁側に張り出した既存スラブの下面に、コンクリートによって前記既存スラブと一体に新設スラブを構築した耐震補強構造体の構築方法であって、前記既存スラブに上下に貫通した貫通孔を形成する工程と、前記既存梁の前記新設梁に対向する面から突出するアンカーを設置する工程と、前記既存梁の前記新設梁に対向する面に先端支持部材を設置する工程と、地上にて、前記新設梁と前記新設柱との接合部となる部分と前記新設梁となる部分とが一体になったプレキャスト梁の下に揚重ブラケットを設けと、当該揚重ブラケット上に前記新設スラブを構築するための型枠及び鉄筋を載置してユニットを形成する工程と、前記ユニットを揚重して、前記接合部となる部分を前記新設柱の上に設置し、且つ、前記揚重ブラケットの前記既存建物側の先端部が前記先端支持部材で支持されるように、前記ユニットを設置する工程と、前記接合部となる部分の上に前記新設柱となるプレキャスト柱を設置する工程と、前記貫通孔内に連結部材を設置する工程と、前記プレキャスト梁と前記プレキャスト柱とを接合する工程と、前記貫通孔を介して、前記既存スラブの上方からコンクリートを打設する工程とを備えることを特徴とする。
【００１３】
本発明によれば、地上にて、新設梁と新設柱との接合部となる部分と新設梁となる部分とが一体になったプレキャスト梁の下に揚重ブラケットを設け、当該揚重ブラケット上に新設スラブを構築するための型枠及び鉄筋を載置してユニットを形成する工程を備える。そのため、新設スラブを構築するための型枠の連結及び鉄筋の結束などの作業を地上で行うことができる。よって、プレキャスト柱上にプレキャスト梁を設置した後に、新設スラブを構築するための型枠をベランダから見上げながら設置する上記特許文献２に記載された場合と比較して、作業効率の向上を図ることが可能となる。
【００１４】
本発明において、前記揚重ブラケット上には、前記既存梁側の１枚分の前記新設スラブを構築するための型枠を載置せず、当該型枠は、前記ユニットを設置した後、所定の場所に設置することが好ましい。
【００１５】
この場合、ユニットが所定の位置に設置されたとき、当該型枠が設置される箇所は、型枠が存在せず、隙間とすることが可能である。よって、この隙間から、アンカーと新設スラブを構築するための鉄筋とに対して、互いの干渉や型枠との被り厚さなどに関する位置調整を行うことが可能となり、作業効率の向上を図ることが可能となる。
【００１６】
また、本発明において、隣接する前記プレキャスト梁の前記新設梁となる部分同士を接合する工程をさらに備え、隣接する前記新設スラブを連結して構築するために前記鉄筋を連結することが好ましい。
【００１７】
この場合、隣接するユニット間の隙間になる部分に配筋と型枠を設置することで、既存梁の長手方向に連続する新設梁及び新設スラブを構築することが可能となる。
【００１８】
また、本発明において、隣接する前記新設スラブを連結して構築するために、前記ユニットの型枠の端部の間に新たに型枠を設置すると共に、前記新たに設置する型枠の下に該型枠を支持するブラケットを設置することが好ましい。
【００１９】
この場合、隣接するユニットの型枠間に新たに型枠を設置するので、既存梁の長手方向に連続する新設梁及び新設スラブを構築することが可能となる。そして、新たに設置した型枠をブラケットで安定的に支持することができる。
【００２０】
また、本発明において、隣接する前記プレキャスト梁の前記新設梁となる部分同士を接合する工程をさらに備え、前記ユニットの型枠の幅方向の端部に、少なくとも前記既存スラブの下端から前記型枠の上端まで鉛直方向に仕切る型枠を設置することが好ましい。
【００２１】
この場合、隣接する新設スラブをユニットごとに独立して構築することができる。
【００２２】
また、本発明において、前記既存建物の外部の前記ユニットが設置される部分を除いた部分に支柱を設置し、前記支柱と連結させた壁つなぎを前記ユニットが設置される部分を通さずに前記既存建物に固定して、昇降足場を設置する工程を含むことが好ましい。
【００２３】
この場合、各階ごとにユニットを設置する際に、足場を解体する必要がなく、作業効率の向上を図ることが可能となる。なお、既存梁の長手方向に複数のユニットが隣接して設置される場合には、既存梁の長手方向ではこれらのユニット間に位置すると共に、平面視ではユニットより既存梁側とは反対側に位置するように、支柱を設けることが好ましい。そして、壁つなぎは、平面視図では隣接するユニット間に、高さ方向では新設梁の上端と上階の新設スラブの底を構築するための型枠の下端との間に設けることが好ましい。
【図面の簡単な説明】
【００２４】
【図１】本発明の実施形態に係る耐震補強構造体を示す説明図。
【図２】図１のII−II線断面図。
【図３】既存建物とユニットとを示す断面図。
【図４】ユニットを既存建物に設置した状態を示す上面図。
【図５】ユニットを既存建物に設置した状態を示す断面図。
【発明を実施するための形態】
【００２５】
本発明の実施形態に係る耐震補強構造体について図面を参照して説明する。
【００２６】
図１に示すように、本耐震補強構造体は、既存建物１０の外部に構築された補強フレーム２０を、連結スラブ３０で既存建物１０と一体に連結したものである。連結スラブ３０は、既存建物１０のスラブ（既存スラブ）１１と新設スラブ３１とから構成される。新設スラブ３１は、既存梁１２から新設梁２１側に張り出した既存スラブ１１の下面に、コンクリートによって既存スラブ１１と一体に新たに構築される。
【００２７】
既存建物１０は、梁（既存梁）１２や柱（既存柱）１３などからなり、外周の既存梁１２から外側に向って、バルコニーや共用廊下などを構成する既存スラブ１１が設置されている。既存建物１０は、例えば、鉄筋コンクリート造、鉄骨鉄筋コンクリート造のマンションやアパートなどの集合住宅やオフィスビルである。
【００２８】
補強フレーム２０は、既存建物１０の地震力を負担させる耐震補強用の構造体であり、既存建物１０とは独立して新たに構築される。補強フレーム２０は、新設された基礎（新設基礎）２３を有し、新設された梁（新設梁）２１、柱（新設柱）２２などから構成される架構である。
【００２９】
以下、本発明の実施形態に係る耐震補強構造体の構築方法について図面を参照して説明する。
【００３０】
まず、当該階の既存建物１０に対する作業をする工程を行う。具体的には、図２に示すように、既存スラブ１１に上下に貫通する貫通孔１１ａを形成する。この貫通孔１１ａは、既存梁１２の長手方向に沿って、直線状、千鳥状などに複数形成する。各貫通孔１１ａに、それぞれ段差面１１ｂを設け、段差面１１ｂより上側部分は、段差面１１ｂより下側部分よりも大径とする。貫通孔１１ａはコアドリルなどを用いて削孔して形成する。
【００３１】
また、図３に示すように、既存梁１２の新設梁２１に対向する面（新設柱２２側の面）に、既存側アンカー４１を後施工によって設置する。既存側アンカー４１は、ケミカルアンカーであっても機械式アンカーであってもよい。また、既存側アンカー４１の元端部に新設スラブ３１との接合を強化するためにスパイラル筋（図示しない）を設けてもよい。さらに、既存梁１２の新設梁２１に対向する面に、後述する揚重ブラケット５１の先端部を支持する先端支持部材４２を設置する。
【００３２】
なお、当該階の１階下の部分における新設柱２２が設置されている。この新設柱２２は、１階部分の柱に相当する場合には既存の工法で構築すればよく、２階以上の部分の柱に相当する場合には、後述するプレキャスト柱６１からなるものである。
【００３３】
なお、貫通孔１１ａ、既存側アンカー４１、及び先端支持部材４２を設ける作業を行うために、図示しないが、仮設足場を設ける必要がある。しかし、後述する揚重ブラケット５１を用いてプレキャスト梁５２を設置する工程などでは邪魔となるため、足場を解体する必要がある。
【００３４】
そこで、リフトクライマー等の昇降足場を使用することが好ましい。この場合、足場の解体作業とプレキャスト梁５２などの設置の進捗状況に応じて、足場をせり上げる作業が不要となり、工期を短縮することが可能となる。
【００３５】
なお、揚重ブラケット５１を用いた作業の邪魔にならないように、ユニット５０が設置される部分を除いた部分に、昇降足場の支柱及び壁つなぎを設置する（図４参照）。具体的には、昇降足場の支柱は、既存梁１２の長手方向では隣接するユニット５０間に位置すると共に、平面視ではユニット５０より既存梁１２側とは反対側に位置するように設けることが好ましい。そして、支柱と連結され、既存建物１０に固定される昇降足場の壁つなぎは、平面視では隣接するユニット５０間に、高さ方向は新設梁２１の上端と上階の新設スラブ３１の底を構築するための型枠５３の下端との間に設けることが好ましい。
【００３６】
次に、プレキャスト梁５２の下面に揚重ブラケット５１を固定し、当該揚重ブラケット５１上に、型枠５３及び鉄筋５４を載置してなるユニット５０を準備する工程を行う。この工程は、前述した既存建物１０に対する作業を行う工程と同時に、又はそれより前に行ってもよい。
【００３７】
プレキャスト梁５２は、新設梁２１と新設柱２２との接合部となる部分５２ａ（以下、単に接合部５２ａという）、及び新設梁２１となる部分５２ｂ（以下、単に新設梁部５２ｂという。図４参照）を一体に形成したプレキャスト部材である。プレキャスト梁５２の内部には、図示しないが、鉄筋が適宜配筋されている。接合部５２ａには、上下方向に貫通する貫通孔５２ｃが形成されている。また、接合部５２ａの既存梁１２側の側面には、既存梁１２側に突出する新設側アンカー５２ｄが設けられている。
【００３８】
揚重ブラケット５１は、例えば鉄鋼板などを組み合わせて構成されており、その上面に載置面を有している。揚重ブラケット５１の既存梁１２とは反対側（図２中左側）の載置面上に、プレキャスト梁５２の新設梁部５２ｂを載置して、固定する（図４も参照）。また、揚重ブラケット５１の既存梁１２側（図２中右側）の載置面上に、新設スラブ３１を構築するための型枠５３を載置し、さらに、この型枠５３の上に新設スラブ３１を構築するための鉄筋５４を載置する。
【００３９】
新設スラブ３１を構築する際に底となる型枠５３は、揚重ブラケット５１の先端側の１枚分の型枠５５（以下、先端型枠５５という）（図４参照）を除いて、互いに連結されている。ただし、これら型枠５３は連結されていなくてもよい。なお、この先端型枠５５は、ユニット５０中に含まれていない。そして、鉄筋５４は、配筋が容易となるような態様で結束されている。鉄筋５４の一部は新設側アンカー５２ｄと結合されていてもよい。型枠５３の連結や鉄筋５４の結束、及びこれらの揚重ブラケット５１上への載置は地上で行う。
【００４０】
なお、新設スラブ３１の底を形成する型枠５３は、メタルフォームであることが好ましい。メタルフォームは、高強度であり、後工程で連結が容易である点で好ましい。
【００４１】
図４に示すように、プレキャスト梁５２は、新設梁部５２ｂを、既存梁１２の長手方向にそれぞれ隣接する接合部５２ａ間までの幅の半分の幅（半スパン分の幅）を前記長手方向両側にそれぞれ有している。
【００４２】
次に、ユニット５０を所定位置に設置する工程を行う。図３に示すように、具体的には、図示しないワイヤーなどをプレキャスト梁５２の新設梁部５２ｂに掛けて、ユニット５０を吊り上げ、新設柱２２の上面にプレキャスト梁５２の接合部５２ａが設置され、且つ、先端支持部材４２が揚重ブラケット５１の先端部を支持する状態となるように、ユニット５０を設置する。
【００４３】
この際、ユニット５０には揚重ブラケット５１、型枠５３、鉄筋５４が設置されており、既存建物１０には既存スラブ１１が存在するので、ユニット５０を上方から吊下して設置することができず、水平方向に移動させて設置する必要がある。
【００４４】
ユニット５０は、揚重ブラケット５１、プレキャスト梁５２、型枠５３、鉄筋５４などによって、既存建物１０と反対側に重心が偏っている。そこで、揚重時はワイヤー長をチェーンブロックで調整してバランスを取って水平状態に保持しながら、ユニット５０を既存建物１０側（図２中右側）に挿入する。
【００４５】
図５に示すように、ユニット５０が、所定の位置に支持されることにより、プレキャスト梁５２の接合部５２ａが新設柱２２の上面に載置されると共に、先端型枠５５（図４参照）を除く型枠５３が所定の位置に配置された状態で揚重ブラケット５１に支持される。さらに、型枠５３の上には、新設スラブ３１を構築するための鉄筋５４が載置されている。
【００４６】
図４を参照して、先端型枠５５は揚重ブラケット５１に載置されておらず、この型枠５５が位置すべき部分には隙間が生じている。この隙間から、既存側アンカー４１やスパイラル筋と新設スラブ３１用の鉄筋５４とに対して、互いの干渉や型枠５３との被り厚さなどに関する位置調整や結束等の作業を行う。なお、図４では、鉄筋５４は省略されている。
【００４７】
次に、先端型枠５５を設置する工程を行う。先端型枠５５は、前述したユニット５０間の隙間から挿入し、既存梁１２の長手方向にスライドさせて、それぞれを所定の位置に設置し、隣接する他の型枠５３と固定する。
【００４８】
次に、隣接して配置されたユニット５０同士を接合する工程を行う。この工程では、隣接するプレキャスト梁５２の新設梁部５２ｂ同士を接合する工程、及び、隣接するユニット５０間に新設スラブ３１の鉄筋５４を配筋し、鉄筋５４の下側に型枠５６を設置する工程を含む。
【００４９】
隣接するプレキャスト梁５２の新設梁部５２ｂ同士の接合は、従来の接合方法を用いて、接合する。具体的には、例えば、対向する新設梁部５２ｂの端面から突出する梁主筋５７をスリーブジョイント５８などで接合し、適宜、剪断補強筋を配置する。例えば、スリーブジョイント５８を一方の梁主筋５７の先端に設置して、このスリーブジョイント５８に他方の梁主筋５７の先端を挿入すればよい。また、図示しないが、接続すべき２本の梁主筋５７の先端にそれぞれスリーブジョイント５８を設置して、これらスリーブジョイント５８を新たな鉄筋で接続してもよい。
【００５０】
ユニット５０間の新設スラブ３１を構築するための鉄筋５４は、予め何れか一方のユニット５０に結束した状態で載置しておき、両ユニット５０を設置した後に、ユニット５０間の所定の位置に移動させて、他の鉄筋５４と結束する。
【００５１】
ユニット５０間に位置する型枠５６は、先端型枠５５を全て設置した後に設置する。ユニット５０間に位置する型枠５６を支持するために、ユニット５０の幅方向の端部に、ブラケット５９を設けてもよい。なお、このブラケット５９は、ユニット５０中に最初から存在するものであっても、ユニット５０間に位置する型枠５６以外の型枠５３，５５を全て設置した後に設置してもよい。また、ユニット５０間に位置する型枠５６は、ブラケット５９を用いず、支保工で支持してもよい。
【００５２】
なお、ユニット５０間のプレキャスト梁５２の新設梁部５２ｂを連結する部分を構築するための型枠は、図示しないが、従来の一般的な型枠を用い、この型枠を支保工又はブラケットで支持すればよい。また、既存スラブ１１の立ち上がり部（バルコニー手摺）との間にスタイロフォーム等を詰め込んで型枠としてもよい。
【００５３】
次に、図５に示すように、図示しないワイヤーなどでプレキャスト柱６１を吊り上げて、プレキャスト梁５２の接合部５２ａの上にプレキャスト柱６１を設置する工程を行う。プレキャスト柱６１は、プレキャスト部材であり、新設柱２２となるものである。プレキャスト柱６１の内部には、図示しないが、鉄筋が適宜に配筋されている。
【００５４】
プレキャスト柱６１は、下面から柱主筋６２が下方に向って突出し、上面には上階用のプレキャスト柱６１の柱主筋６２が挿入されるスリーブ６３が設けられている。下面から突出する柱主筋６２の長さは、接合部５２ａの貫通孔５２ｃを貫通し、下階用のプレキャスト柱６１のスリーブ６３に定着長以上の長さを挿入可能な長さである。
【００５５】
プレキャスト柱６１の下面から突出する柱主筋６２を、プレキャスト梁５２の接合部５２ａに設けられた貫通孔５２ｃを貫通させて、当該接合部５２ａの下面と接触して設置された下階用のプレキャスト柱６１の上面に設けられたスリーブ６３内に定着長以上の長さを挿入させた状態として、プレキャスト柱６１をプレキャスト梁５２の接合部５２ａの上に設置する。
【００５６】
そして、以上の各工程を、プレキャスト梁５２及びプレキャスト柱６１が所定の階層まで組み立てられるまで行う。
【００５７】
その後、プレキャスト梁５２の接合部５２ａとプレキャスト柱６１とを接合する工程を行う。具体的には、プレキャスト柱６１の図示しない注入口からグラウトを注入して、プレキャスト梁５２の接合部５２ａに形成された貫通孔５２ｃ、及び接合部５２ａとプレキャスト柱６１の隙間をグラウトで充填させる。このとき、プレキャスト梁５２の接合部５２ａとプレキャスト柱６１との間に、図示しない目地材を設置し、確認箇所以外からグラウトが漏れないようにする。
【００５８】
その後、新設スラブ３１を構築するための型枠５３，５５，５６及び鉄筋５４の調整、並びに連結部材７０を設置する工程を行う。
【００５９】
図２に示すように、連結部材７０は、上下に開口を有する円筒状の鋼管７１と、鋼管７１の上下端付近にそれぞれ固定された上部鋼板７２及び下部鋼板７３とから形成されている。上部鋼板７２及び下部鋼板７３は、共に中央に円形状の穴が形成されたドーナツ状の円盤形状であり、中央の穴を通した鋼管７１に溶接などによって固定されている。
【００６０】
上部鋼板７２は、貫通孔１１ａの段差面１１ｂより上側の部分より小径であるが、貫通孔１１ａの段差面１１ｂより下側の部分より大径であり、貫通孔１１ａの段差面１１ｂで支持される。一方、下部鋼板７３は、貫通孔１１ａの段差面１１ｂより下側の部分より小径であり、貫通孔１１ａを通過して、新設スラブ３１の内部に位置する。
【００６１】
貫通孔１１ａ内に位置する連結部材７０の上下方向の長さは、鋼管７１の外径以上であることが好ましい。また、新設スラブ３１の内部に位置する連結部材７０の上下方向の長さも、鋼管７１の外径以上であることが好ましい。連結部材７０の上下端は、最小かぶり厚さを確保できることが好ましい。
【００６２】
次に、新設梁２１の接合部と新設スラブ３１を構築するためにコンクリートを打設する工程を行う。具体的には、連結部材７０の鋼管７１の内部を介して既存スラブ１１の上側からコンクリートを打設する。コンクリートは、少なくとも既存スラブ１１の下面を超えるまで打設する。
【００６３】
なお、既存スラブ１１の貫通孔１１ａに設置された連結部材７０の内部を介してコンクリートを打設するとき、型枠５３，５５，５６に大きな圧力が作用する。そのため、貫通孔１１ａの下方に揚重ブラケット５１を設置することが好ましい。図５に示すように、揚重ブラケット５１は、先端側が先端支持部材４２によって、基端側がプレキャスト梁５２によってそれぞれ支持されているので、コンクリート打設時の荷重を支持することが可能である。
【００６４】
貫通孔１１ａの下方に揚重ブラケット５１を配置できない場合や、揚重ブラケット５１だけで圧力に支持することができない場合は、型枠５３，５５，５６を支持する支保工を設置すればよい。
【００６５】
その後、コンクリートが硬化することによって、既存スラブ１１及び既存梁１２と一体化した新設スラブ３１が構築される。そして、この新設スラブ３１は、貫通孔１１ａ内から連続して位置した連結部材７０によって既存スラブ１１と連結されていると共に、既存側アンカー４１と連結された鉄筋５４によって既存梁１２とも連結されている。
【００６６】
なお、新設梁２１の接合部と新設スラブ３１を構築するためにコンクリートを打設する工程は、プレキャスト梁５２及びプレキャスト柱６１を全階層分又は複数層分設置した状態で行うことが作業効率の点からは好ましいが、各階層毎に行ってもよい。
【００６７】
その後、上部鋼板７２に少なくとも２つの小開口を設けておき、コンクリートが硬化した後、小開口の１つから、連結部材７０の外周面と貫通孔１１ａの内周面との間の隙間にグラウトを充填する工程を行う。グラウトは、無収縮モルタルなどのセメント系材料である。上部鋼板７２に形成された他の小開口が、グラウト充填時の空気抜き用の孔となる。その後、グラウトが硬化することによって、グラウト硬化部８１が形成される。
【００６８】
最後に、先端支持部材４２、揚重ブラケット５１、ブラケット５９及び支保工などを取り外す工程を行う。
【００６９】
以上のように、本発明の実施形態に係る耐震補強構造体の構築方法によれば、新設スラブ３１を構築するための型枠５３と鉄筋５４を、プレキャスト梁５２を載置した揚重ブラケット５１で支持して、これらをユニット５０とすることによって、型枠５３の設置と鉄筋５４の配筋作業を地上で行うことができる。そのため、上記特許文献２に記載のように、既存スラブ１１上に立ち馬等を設置して、作業者が見上げながら作業する場合と比較して、作業効率の向上を図ることが可能となる。
【００７０】
また、既存梁１２に設置した先端支持部材４２で揚重ブラケット５１の先端を支持するので、揚重ブラケット５１がコンクリート打設時の荷重を支持することが可能となり、既存スラブ１１上に支保工を設置する作業を省略することが可能となる。さらに、これにより、工事期間中に、既存建物１０に居住者が居住しても、景観や採光が悪化することを回避することが可能となる。
【００７１】
また、プレキャスト梁５２を新設柱２２上に設置するまで先端型枠５５を設置しないので、既存梁１２から突出した既存側アンカー４１やスパイラル筋と新設スラブ３１を構築するための鉄筋５４とが干渉する場合又はこれらの被りが不足する場合、これらを適正となるように調整する作業を行うことができる。
【００７２】
また、既存梁１２の新設梁２１に対向する面から突出された既存側アンカー４１が新設スラブ３１の内部に配筋された鉄筋５４と結合され、且つ、新設梁２１の既存梁１２に対向する面から突出された新設側アンカー５２ｄが新設スラブ３１の内部に配筋された鉄筋５４と結合されているので、新設スラブ３１は既存梁１２及び新設梁２１とそれぞれ連結されている。さらに、既存スラブ１１の貫通孔１１ａ内及び新設スラブ３１内に連続して位置した連結部材７０によって、新設スラブ３１は既存スラブ１１と連結されている。これらにより、既存梁１２と新設梁２１との間で既存スラブ１１と新設スラブ３１とが構造的に一体化された連結スラブ３０を構築することができる。
【００７３】
よって、地震時の既存建物１０の剪断力は、アンカー４１，５２ｄ及び、設置する場合はスパイラル筋に加えて、連結部材７０も介して、補強フレーム２０に伝達される。具体的には、地震時に既存建物１０に発生する剪断力は、既存スラブ１１から連結部材７０を介して、且つ、既存梁１２から既存側アンカー４１を介して、新設スラブ３１に伝達され、そして、新設スラブ３１から新設側アンカー５２ｄを介して新設梁２１に伝達される。よって、地震時に既存建物１０にかかる応力を補強フレーム２０に確実に伝達して、既存建物１０の損傷を防ぐことが可能となる。
【００７４】
さらに、連結部材７０の上部鋼板７２が既存スラブ１１に形成された貫通孔１１ａの段差面１１ｂで支持されているので、既存スラブ１１に連結部材７０を確実且つ安定的に定位置に定着させることができる。
【００７５】
また、連結部材７０の下部鋼板７３は、コンクリートで外部を囲まれて新設スラブ３１の内部に配置されているので、新設スラブ３１が下降などして既存スラブ１１との連結が消失することを防止することができる。そのため、下部鋼板７３の厚さや大きさは、その自重や振動などによって新設スラブ３１と既存スラブ１１との間に隙間などが生じないように、新設スラブ３１を支えることができる厚さや大きさに定められる。
【００７６】
以上、本発明の実施形態について図面を参照して説明したが、本発明はこれに限定されない。
【００７７】
例えば、隣接するプレキャスト梁５２の新設梁部５２ｂ同士を接合して、新設柱２２間に亘る新設梁２１を構築する場合について説明した。しかし、隣接するプレキャスト梁５２の新設梁部５２ｂの間に隙間を有するものであってもよい。
【００７８】
また、隣接するユニット５０間の接合部分においても、新設スラブ３１を構築する場合について説明した。しかし、応力伝達の観点などから問題がない場合には、隣接するユニット５０間の接合部分に、新設スラブ３１を構築しなくともよい。
【００７９】
また、既存梁１２の長手方向に新設スラブ３１を連続して構築する場合について説明した。しかし、ユニット５０ごとに独立して新設スラブ３１を構築してもよい。この場合、ユニット５０の型枠５３の幅方向の端部に、少なくとも既存スラブ１１の下端から型枠５３の上端まで鉛直方向に仕切る型枠を設置すればよい。
【００８０】
また、プレキャスト柱６１の下面から柱主筋６２が突出する場合について説明した。しかし、プレキャスト柱６１の下面にも上面と同様にスリーブを設置してもよい。この場合、プレキャスト柱の上面にプレキャスト梁５２の接合部５２ａを載させた後、接合部５２ａを貫通し、プレキャスト柱の上下面にそれぞれ設けたスリーブに定着可能な長さを有する鉄筋を挿入した後に、上階用のプレキャスト柱を載せればよい。
【００８１】
また、連結部材は、連結部材７０に限定されず、上記特許文献１に記載された連結部材を含む従来の連結部材を用いてもよく、応力上必要がない場合は用いなくてもよい。コンクリートを貫通孔１１ａの上端付近まで打設し、コンクリートが硬化する前に、連結部材７０を埋め込んでもよい。
【符号の説明】
【００８２】
１０…既存建物、  １１…既存スラブ、  １２…既存梁、  １３…既存柱、  １１ａ…貫通孔、  １１ｂ…段差面、  ２０…補強フレーム、  ２１…新設梁、  ２２…新設柱、  ２３…新設基礎、  ３０…連結スラブ、  ３１…新設スラブ、  ４１…既存側アンカー、  ４２…先端支持部材、  ５０…ユニット、  ５１…揚重ブラケット、  ５２…プレキャスト梁、  ５２ａ…接合部となる部分、接合部、  ５２ｂ…新設梁となる部分、新設梁部、  ５２ｃ…貫通孔、  ５２ｄ…新設側アンカー、  ５３…型枠、  ５４…鉄筋、  ５５…揚重ブラケットの先端側の１枚分の型枠、先端型枠（型枠）、  ５６…ユニット間に位置する型枠（型枠）、  ５７…梁主筋、  ５８…スリーブジョイント、  ５９…ブラケット、  ６１…プレキャスト柱、  ６２…柱主筋、  ６３…スリーブ、  ７０…連結部材、  ７１…鋼管、  ７２…上部鋼板、  ７３…下部鋼板、８１…グラウト硬化部。
【図１】
2015196942.tif 000003
【図２】
2015196942.tif 000004
【図３】
2015196942.tif 000005
【図４】
2015196942.tif 000006
【図５】
2015196942.tif 000007